(57)【特許請求の範囲】
【請求項１】
移動通信端末における多重作業のためのディスプレイの転換方法において、
全体作業に対する第１作業の位置を表示しながら該第１作業を実行しているときに多重作業の要求に応じて第２作業を実行する第１ステップと、
前記第１ステップの実行によりディスプレイの転換容量を確認する第２ステップと、
前記第２ステップの確認の結果に応じて、ディスプレイの転換容量を超える時にエラーメッセージを出力する第３ステップと、
前記第２ステップの確認の結果に応じて、ディスプレイの転換容量を超えなければ、実行中である前記第１作業に対するディスプレイを格納する第４ステップと、
全体作業に対する前記第２作業の位置を表示し、および、前記第２作業をディスプレイする第５ステップと
を含むことを特徴とする方法。
【請求項２】
前記第３ステップは、
現在実行中である前記第１作業を中止するか否かを確認する段階と、
現在実行中である前記第１作業を中止するか否かの確認の結果、現在実行中である前記第１作業を中止すれば、前記第１作業に対するディスプレイを削除し、前記第２作業をディスプレイする段階と、
現在実行中である前記第１作業を中止するか否かの確認の結果、現在実行中である前記第１作業を中止しなければ、前記第２作業を処理せず終了する段階と
をさらに含むことを特徴とする請求項１に記載の移動通信端末における多重作業のためのディスプレイの転換方法。
【請求項３】
前記移動通信端末は、多重作業を行うことのできる画面転換スイッチを備えたことを特徴とする請求項１に記載の移動通信端末における多重作業のためのディスプレイの転換方法。
【請求項４】
前記第４ステップを行った後に、
使用者から多重作業中にディスプレイ転換のためのディスプレイ転換メニューを選択される段階と、
前記ディスプレイ転換メニューの選択に応じてディスプレイの転換方式を決定する段階と、
前記決定されたディスプレイの転換方式が速い転換であれば、全体作業の中、移動しようとする作業を選択してディスプレイ転換する段階と、
前記決定されたディスプレイの転換方式が通常の転換であれば、シフトキーを介して、現在の作業から順次ディスプレイ転換する段階と
を含むことを特徴とする請求項１に記載の移動通信端末における多重作業のためのディスプレイの転換方法。
【請求項５】
前記決定されたディスプレイの転換方式が速い転換であれば、全体作業の識別子をすべてディスプレイする段階をさらに含むことを特徴とする請求項４に記載の移動通信端末における多重作業のためのディスプレイの転換方法。
【発明の詳細な説明】
【０００１】
【発明の属する技術分野】
本発明は、端末のユーザインターフェース（Ｕｓｅｒ Ｉｎｔｅｒｆａｃｅ）に関し、特に、移動通信端末における多重作業のためのディスプレイの具現および転換方法と前記方法を実現させるためのプログラムを記録したコンピュータで読み出すことのできる記録媒体に関する。
【０００２】
【従来の技術】
従来の移動通信端末のディスプレイ制御方式は、一つのディスプレイ部に「Ｆｏｒｅｇｒｏｕｎｄ」過程と「Ｂａｃｋｇｒｏｕｎｄ」過程とが共有される方式である。
【０００３】
ここで、「Ｆｏｒｅｇｒｏｕｎｄ」過程とは、多重プログラミングや多重プロセスなどのように同時にいくつかのプログラムが実行される場合、高い優先度のプログラムが実行されるように制御することをいう。また、「Ｂａｃｋｇｒｏｕｎｄ」過程とは、多重プログラミングや多重プロセスなどのように同時にいくつかのプログラムが実行される場合、優先度の低いプログラムは優先度の高いプログラムが実行されない時にのみ実行されるように制御することをいう。
【０００４】
前述のような従来の移動通信端末のディスプレイの制御方式は、優先度の低い文字メッセージの作成中に、優先度の高い着信号が受信されると作成した文書が全部削除されるなどの問題点が生じる。
【０００５】
それだけでなく、第３世代（Ｇｅｎｅｒａｔｉｏｎ）端末において要求されるマルチタスキング（例えば、ＭＰ３プレーをしながら、ファイルをダウンロードすることなど）を処理することは従来のディスプレイ方式では好適しない。
【０００６】
【発明が解決しようとする課題】
本発明は、上記した従来の問題点に鑑みてなされたものであって、移動通信端末において種々の作業を行ってもディスプレイを変えながら、それぞれの作業を処理することが可能な多重作業を支援できるディスプレイの具現及び転換方法と前記方法を実現させるためのプログラムを記録したコンピュータで読み出すことのできる記録媒体とを提供することにその目的がある。
【０００７】
【課題を解決するための手段】
上述の目的を達成するため、本発明は、移動通信端末におけるディスプレイの転換方法において、全体作業に対する第１作業の位置を表示しながら該第１作業を実行しているときに多重作業の要求に応じて第２作業を実行する第１ステップと、前記第１ステップの実行によりディスプレイの転換容量を確認する第２ステップと、前記第２ステップの確認の結果に応じて、ディスプレイの転換容量を超える時にエラーメッセージを出力する第３ステップと、前記第２ステップの確認の結果に応じて、ディスプレイの転換容量を超えなければ、実行中である前記第１作業に対するディスプレイを格納する第４ステップと、全体作業に対する前記第２作業の位置を表示し、および、前記第２作業をディスプレイする第５ステップとを含むことを特徴とする。
【０００８】
上記発明方法において、前記第４ステップを行った後に、使用者から多重作業中にディスプレイ転換のためのディスプレイ転換メニューを選択される段階と、前記ディスプレイ転換メニューの選択に応じてディスプレイの転換方式を決定する段階と、前記決定されたディスプレイの転換方式が速い転換であれば、全体作業の中、移動しようとする作業を選択してディスプレイ転換する段階と、前記決定されたディスプレイの転換方式が通常の転換であれば、シフトキーを介して、現在の作業から順次ディスプレイ転換する段階とをさらに含むことができる。
【０００９】
【発明の実施の形態】
以下、添付する図面を参照し、本発明に係る好ましい一実施の形態を詳細に説明する。
【００１０】
図１は、本発明が適用される移動通信端末の一実施の形態の構成図である。
本発明が適用される移動通信端末は、外部から無線信号を受信するか、外部へ無線信号を送信するためのアンテナ部１１、音声信号を伝えるためのスピーカ部１２、現在の状態などを表示するためのディスプレイ部１３、上下選択パッド１４及び文字や電話番号などを入力するためのキーパッド部１５を含む。特に、キーパッド部１５にはディスプレイ転換キーが別途に具備される。
【００１１】
以下、ディスプレイ転換キーを介してディスプレイ部１３を制御する過程について説明する。
図２は本発明に係る移動通信端末において多重作業におけるディスプレイ変換のためのディスプレイの具現方法に対する一実施の形態のフローチャートである。
【００１２】
まず、一つの作業（Ａ  Ｔａｓｋ）が行われ（２０１）、その後、新しい作業（Ｂ Ｔａｓｋ）が行われたかどうかを確認する（２０２）。この場合、新しい作業（Ｂ）の実行がなければ、実行中である作業（Ａ）を続けて実行する。一方、新しい作業（Ｂ）の実行があれば、現在の端末のディスプレイの変換容量を超えたかどうかを確認する（２０３）。
【００１３】
確認の結果、現在の端末のディスプレイの転換容量を超えていなければ、実行中である作業（Ａ）に対するディスプレイを格納し（２０４）、新しい作業（Ｂ）がディスプレイされたディスプレイ部を格納する（２０５）。
【００１４】
確認の結果、現在の端末のディスプレイの転換容量を超えたら、エラーメッセージを出力し（２０６）、実行中である作業（Ａ）を中止するか否かを確認して（２０７）、実行中である作業（Ａ）を中止しなければ、作業（Ｂ）に対するディスプレイの転換を行わず終了する。
【００１５】
実行中である作業（Ａ）を中止するかを確認して（２０７）、実行中である作業（Ａ）を中止すれば（２０８）、実行中である作業（Ａ）に対するディスプレイを削除し（２０９）、新しい作業（Ｂ）がディスプレイされたディスプレイ部を格納する（２０５）。この場合、実行中の作業（Ａ）に対するディスプレイを格納する時には現在格納されている作業にそれぞれ異なる番号を付けて格納するようにする。例えば、現在格納されている作業の数が「５」であれば、現在格納される作業（Ａ）は「６」という番号が付けられて格納される。
【００１６】
図３は、本発明に係る移動通信端末において多重作業におけるディスプレイの転換方法に対する一実施の形態のフローチャートである。
【００１７】
図３に示すように、多重作業中の移動通信端末においてディスプレイを転換するためには、まず、ディスプレイ転換メニューを選択する（３０１）。その後、ディスプレイ転換メニューを選択すれば、ディスプレイを転換する方式を決定する（３０２）。
【００１８】
この場合、ディスプレイの転換方式には通常の転換方式と速い転換方式とに分けられ、使用者の選択に応じてそれぞれの方式が行われる。
【００１９】
通常の転換方式を選択すれば、現在のディスプレイにおいてシフトキーを押すか、または画面転換選択キーを押すことによって順次一つのディスプレイ部の上または下にディスプレイ転換される（３０３）。
【００２０】
また、速い転換方式を選択すれば、現在実行中である作業の識別子を出力して、そのうち一つを選択するか現在実行中である作業の識別子の中一つを記入して選択する（３０４）。
【００２１】
そして、前記選択された識別子に該当する作業をディスプレイする（３０５）。
【００２２】
図４は、本発明の実施の形態に係る移動通信端末において多重作業におけるディスプレイの転換方法によるディスプレイの例示図である。
【００２３】
図４（ａ）〜（ｄ）に示すように、本発明に係る移動通信端末における多重作業に対するディスプレイは、全体作業に対する現在作業の位置を示している。
【００２４】
この場合、それぞれの作業間の移動は前述した図３と同様である。
【００２５】
図４（ａ）〜（ｄ）はそれぞれのディスプレイ部で任意の作業（ｔａｓｋ）が行われることを示しており、ディスプレイ部の上段にはＮ番目のディスプレイであることを表す識別子（Ｉｄｅｎｔｉｆｉｅｒ）がある。
【００２６】
上述したような本発明の方法は、プログラムに具現されてコンピュータで読み出すことのできる形態で記録媒体（ＣＤ−ＲＯＭ、ＲＡＭ、ＲＯＭ、フロッピー（登録商標）ディスク、ハードディスク、光磁気ディスクなど）に格納され得る。
【００２７】
なお、本発明は、本実施の形態に限られるものではない。本発明の趣旨から逸脱しない範囲内で多様に変更実施することが可能である。
【００２８】
【発明の効果】
上述したようになされる本発明によると、多重作業を支援する移動通信端末においてそれぞれの作業に対するディスプレイを維持して、多重作業中にそれぞれの作業に対してそれぞれの反応を可能にする効果がある。
【００２９】
また、本発明は、従来の移動通信端末において作業中に優先順位の作業がある場合、現在の作業に対するディスプレイ情報がすべて消えることを防止できる効果がある。
【図面の簡単な説明】
【図１】本発明が適用される移動通信端末の一実施の形態の構成図である。
【図２】本発明に係る移動通信端末において多重作業におけるディスプレイ転換のためのディスプレイの具現方法に対する一実施の形態のフローチャートである。
【図３】本発明に係る移動通信端末において多重作業におけるディスプレイの転換方法に対する一実施の形態のフローチャートである。
【図４】本発明の実施の形態に係る移動通信端末において多重作業ディスプレイの転換方法によるディスプレイの例示図である。
【符号の説明】
１１  アンテナ部
１２  スピーカ部
１３  ディスプレイ部
１４  上下選択パッド
１５  キーパッド部
【図１】
0003917027.tif 000002
【図２】
0003917027.tif 000003
【図３】
0003917027.tif 000004
【図４】
0003917027.tif 000005